(57)【要約】【課題】軸受を組み立てる際、及び軸受を装置設備に組み込む際における円すいころの保持器からの脱落を防止することができる円すいころ軸受を提供する。【解決手段】内周面に外輪軌道面１１ａを有する外輪１１と、外周面に内輪軌道面１２ａを有する内輪１２と、外輪軌道面１１ａと内輪軌道面１２ａとの間に転動可能に配設される複数の円すいころ１３と、複数の円すいころ１３を円周方向に略等間隔に保持し、アキシャルドロー型により射出成形される保持器２０と、を備え、保持器２０は、小径側円環部２１と、大径側円環部２２と、小径側円環部２１及び大径側円環部２２を軸方向に連結し、円周方向に略等間隔に設けられる複数の柱部２３と、を備え、柱部２３の小径側部分に、円すいころ１３が保持器２０の径方向内側から脱落することを防止する突起部２５が設けられる。【選択図】図２
2012112446.tif 000002
【特許請求の範囲】
【請求項１】
内周面に外輪軌道面を有する外輪と、外周面に内輪軌道面を有する内輪と、前記外輪軌道面と前記内輪軌道面との間に転動可能に配設される複数の円すいころと、前記複数の円すいころを円周方向に略等間隔に保持する保持器と、を備え、
前記保持器がアキシャルドロー型により射出成形される円すいころ軸受であって、
前記保持器は、小径側円環部と、大径側円環部と、前記小径側円環部及び前記大径側円環部を軸方向に連結し、円周方向に略等間隔に設けられる複数の柱部と、を備え、
前記柱部の小径側部分に、前記円すいころが前記保持器の径方向内側から脱落することを防止する突起部が設けられることを特徴とする円すいころ軸受。
【請求項２】
前記突起部は、前記保持器の射出成形と同時に形成されることを特徴とする請求項１に記載の円すいころ軸受。
【発明の詳細な説明】
【技術分野】
【０００１】
本発明は、アキシャルドロー型により射出成形される樹脂製保持器を備える円すいころ軸受に関する。特に、建設機械フォイールや一般減速器装置に使用される大型薄肉保持器として適用できる。
【背景技術】
【０００２】
従来のアキシャルドロー型により射出成形される樹脂製保持器を備える円すいころ軸受として、組み立ての際、保持器のポケットに円すいころを保持器の内径側から配置して、その保持器の大径側より内輪を小鍔部側から押し込み、円すいころの最小内径より小鍔部の外径が僅かに大きくしてあることにより、保持器の弾性変形を利用して、円すいころと小鍔部との間にかかり代を作り、組み立てを行うものが知られている（例えば、特許文献１参照）。
【先行技術文献】
【特許文献】
【０００３】
【特許文献１】特開２００９−２０９９５２号公報
【発明の概要】
【発明が解決しようとする課題】
【０００４】
しかしながら、上記特許文献１に記載の円すいころ軸受では、円すいころが保持器のポケットに内径側から配置されているだけであるため、組み立ての際に、振動や保持器の変形等によりころがポケットの径方向内側から脱落して、組み込み不良が発生したり、ころが傷ついたりする可能性があった。
【０００５】
また、組み立てを完了した完成品の円すいころ軸受において、装置設備メーカーにて装置設備に軸受を組み込む際、この円すいころ軸受をカップ（円すいころ軸受の外輪のこと）とコーン（内輪、保持器、円すいころの組立体のこと）に分離し、それぞれを装置設備の部品にサブユニットとして組み込んだ後、最終的な組み込みで、カップとコーンを組み合わせる作業を行う場合がある。
【０００６】
この場合、コーンのみを手で持ち上げて運搬することになり、特に、軸受断面が薄く、大きなサイズの軸受であると、全てのころの重量が保持器に掛かることにより撓んで、撓みが一番大きな部位（コーンを縦に持った場合の最も下になる部分）において、ころと内輪の小鍔部の外径との間に隙間が生じ、ころが外力により小鍔部を乗り越え、保持器の内径側から脱落してしまうことがある。また、ころが１つ脱落してしまうと、上記ころと内輪の小鍔部の外径との間の隙間が更に大きくなり、保持器ところは、内輪から外れやすくなり、他のころが脱落してしまう。そして、ころが脱落すると、製品機能に致命的な影響を与える傷を発生させる可能性がある。また、脱落してしまったころを再度保持器に組み込むことは困難であり、製品は使用できなくなってしまう。
【０００７】
本発明は、前述した事情に鑑みてなされたものであり、その目的は、軸受を組み立てる際、及び軸受を装置設備に組み込む際における円すいころの保持器からの脱落を防止することができる円すいころ軸受を提供することにある。
【課題を解決するための手段】
【０００８】
本発明の上記目的は、下記の構成により達成される。
（１）内周面に外輪軌道面を有する外輪と、外周面に内輪軌道面を有する内輪と、外輪軌道面と内輪軌道面との間に転動可能に配設される複数の円すいころと、複数の円すいころを円周方向に略等間隔に保持する保持器と、を備え、保持器がアキシャルドロー型により射出成形される円すいころ軸受であって、保持器は、小径側円環部と、大径側円環部と、小径側円環部及び大径側円環部を軸方向に連結し、円周方向に略等間隔に設けられる複数の柱部と、を備え、柱部の小径側部分に、円すいころが保持器の径方向内側から脱落することを防止する突起部が設けられることを特徴とする円すいころ軸受。
（２）突起部は、保持器の射出成形と同時に形成されることを特徴とする（１）に記載の円すいころ軸受。
【発明の効果】
【０００９】
本発明の円すいころ軸受によれば、保持器は、小径側円環部と、大径側円環部と、小径側円環部及び大径側円環部を連結し、円周方向に略等間隔に設けられる柱部と、を備え、柱部の小径側部分に、円すいころが保持器の径方向内側から脱落することを防止する突起部が設けられるため、軸受を組み立てる際、及び軸受を装置設備に組み込む際における円すいころの保持器からの脱落を防止することができる。また、突起部を設けることにより、保持器の剛性を高めることができるので、軸受を装置設備に組み込む際の保持器の変形を小さくすることができる。
【図面の簡単な説明】
【００１０】
【図１】本発明に係る円すいころ軸受の一実施形態を説明する要部断面図である。
【図２】図１に示す保持器の円すいころを組み込んだ状態の拡大斜視図である。
【図３】図１に示す保持器の拡大斜視図である。
【図４】本発明に係る円すいころ軸受の変形例を説明する要部断面図である。
【図５】図４に示す保持器の円すいころを組み込んだ状態の拡大斜視図である。
【図６】図４に示す保持器の拡大斜視図である。
【発明を実施するための形態】
【００１１】
以下、本発明に係る円すいころ軸受の一実施形態について、図面に基づいて詳細に説明する。
【００１２】
本実施形態の円すいころ軸受１０は、図１に示すように、内周面に外輪軌道面１１ａを有する外輪１１と、外周面に内輪軌道面１２ａを有する内輪１２と、外輪軌道面１１ａと内輪軌道面１２ａとの間に転動可能に配設される複数の円すいころ１３と、複数の円すいころ１３を円周方向に等間隔に保持する保持器２０と、を備える。また、内輪１２の軸方向端部には、小鍔部１２ｂ及び大鍔部１２ｃがそれぞれ形成される。
【００１３】
保持器２０は、図２及び図３に示すように、アキシャルドロー型による合成樹脂の射出成形によって形成されるもので、小径側円環部２１と、大径側円環部２２と、小径側円環部２１及び大径側円環部２２を軸方向に連結し、円周方向に略等間隔に設けられる複数の柱部２３と、円周方向に互いに隣り合う柱部２３間に形成され円すいころ１３を転動可能に保持するポケット２４と、を備える。
【００１４】
そして、本実施形態では、各柱部２３の内周面の小径側部分に、円すいころ１３の脱落を防止する突起部２５が小径側円環部２１に連続してそれぞれ形成されており、これにより、軸受１０を組み立てる際、及び軸受１０を装置設備に組み込む際における円すいころ１３のポケット２４の径方向内側からの脱落が防止されると共に、保持器２０の剛性が高められている。また、突起部２５は、円すいころ１３の脱落を防止するために、保持器２０の軸方向視において略台形状に形成されている。また、突起部２５は、ポケット２４に挿入された円すいころ１３と接触しないため、円すいころ１３の回転を妨げることはない。また、保持器２０を二分割の金型から軸方向へ取り出し易くするため、突起部２５の内周面は、小径側円環部２１の内周面と面一に形成される。
【００１５】
また、本実施形態では、突起部２５は、アキシャルドロー型による保持器２０の射出成形と同時に形成される。
【００１６】
以上説明したように、本実施形態の円すいころ軸受１０によれば、各柱部２３の内周面の小径側部分に、円すいころ１３が保持器２０の径方向内側から脱落することを防止する突起部２５が設けられるため、軸受１０を組み立てる際、及び軸受１０を装置設備に組み込む際における円すいころ１３の保持器２０からの脱落を防止することができ、円すいころ１３は保持器２０の径方向内側から組み込まれる。また、突起部２５を設けることにより、保持器２０の剛性を高めることができるので、軸受１０を装置設備に組み込む際の保持器２０の変形を小さくすることができる。
【００１７】
なお、本実施形態の変形例として、図４〜図６に示すように、突起部２５は、円すいころ１３をポケット２４に挿入できる範囲内において、大径側円環部２２に向かって延設されていてもよい。この場合、突起部２５の延設された部分は、大径側円環部２２に向かうに従って周方向幅が狭くなるように略台形状に形成されている。そして、本変形例によれば、柱部２３の剛性を高めることができるので、軸受１０を装置設備に組み込む際の保持器２０の変形を更に小さくすることができる。
【００１８】
なお、本発明は上記実施形態に例示したものに限定されるものではなく、本発明の要旨を逸脱しない範囲において適宜変更可能である。
【符号の説明】
【００１９】
１０    円すいころ軸受
１１    外輪
１１ａ  外輪軌道面
１２    内輪
１２ａ  内輪軌道面
１２ｂ  小鍔部
１２ｃ  大鍔部
１３    円すいころ
２０    保持器
２１    小径側円環部
２２    大径側円環部
２３    柱部
２４    ポケット
２５    突起部
【図１】
2012112446.tif 000003
【図２】
2012112446.tif 000004
【図３】
2012112446.tif 000005
【図４】
2012112446.tif 000006
【図５】
2012112446.tif 000007
【図６】
2012112446.tif 000008